【手続補正書】
【提出日】平成22年3月3日(2010.3.3)
【手続補正１】
【補正対象書類名】特許請求の範囲
【補正対象項目名】全文
【補正方法】変更
【補正の内容】
【特許請求の範囲】
【請求項１】
顔を含む画像を入力する入力手段と、
前記画像中の顔における予め設定された部位群の夫々について特徴量を求める第１の特徴量計算手段と、
予め設定された表情の顔を含む画像における当該顔の前記予め設定された部位群の夫々について特徴量を求める第２の特徴量計算手段と、
前記第１の特徴量計算手段が求めた特徴量と、前記第２の特徴量計算手段が求めた特徴量との差分に基づいて、前記予め設定された部位群の夫々の特徴量の変化量を求める変化量計算手段と、
前記予め設定された部位群の夫々について前記変化量計算手段が求めた変化量に基づいて、前記予め設定された部位群の夫々について得点を計算する得点計算手段と、
前記得点計算手段が前記予め設定された部位群の夫々について計算した得点の分布と、各表情毎に計算した、前記予め設定された部位群の夫々に対する得点の分布と、を比較することで、前記入力手段が入力した画像中の顔の表情を判断する第１の判断手段と
を備えることを特徴とする画像処理装置。
【請求項２】
顔を含む画像を入力する入力手段と、
前記画像中の顔における予め設定された部位群の夫々について特徴量を求める第１の特徴量計算手段と、
予め設定された表情の顔を含む画像における当該顔の前記予め設定された部位群の夫々について特徴量を求める第２の特徴量計算手段と、
前記第１の特徴量計算手段が求めた特徴量と、前記第２の特徴量計算手段が求めた特徴量との比に基づいて、前記予め設定された部位群の夫々の特徴量の変化量を求める変化量計算手段と、
前記予め設定された部位群の夫々について前記変化量計算手段が求めた変化量に基づいて、前記予め設定された部位群の夫々について得点を計算する得点計算手段と、
前記得点計算手段が前記予め設定された部位群の夫々について計算した得点の分布と、各表情毎に計算した、前記予め設定された部位群の夫々に対する得点の分布と、を比較することで、前記入力手段が入力した画像中の顔の表情を判断する第１の判断手段と
を備えることを特徴とする画像処理装置。
【請求項３】
顔を含む画像を入力する入力手段と、
前記画像中の顔における予め設定された部位群の夫々について特徴量を求める第１の特徴量計算手段と、
予め設定された表情の顔を含む画像における当該顔の前記予め設定された部位群の夫々について特徴量を求める第２の特徴量計算手段と、
前記第１の特徴量計算手段が求めた特徴量と、前記第２の特徴量計算手段が求めた特徴量との比に基づいて、前記予め設定された部位群の夫々の特徴量の変化量を求めた後、顔のサイズ変動や回転変動に基づく正規化値によって前記予め設定された部位群の夫々の特徴量の変化量を正規化する正規化特徴変化量計算手段と、
前記予め設定された部位群の夫々について前記正規化特徴変化量計算手段が求めた変化量に基づいて、前記予め設定された部位群の夫々について得点を計算する得点計算手段と、
前記得点計算手段が前記予め設定された部位群の夫々について計算した得点の分布と、各表情毎に計算した、前記予め設定された部位群の夫々に対する得点の分布と、を比較することで、前記入力手段が入力した画像中の顔の表情を判断する第１の判断手段と
を備えることを特徴とする画像処理装置。
【請求項４】
顔を含む画像を入力する入力手段と、
前記画像中の顔における予め設定された部位群の夫々について特徴量を求める第１の特徴量計算手段と、
予め設定された表情の顔を含む画像における当該顔の前記予め設定された部位群の夫々について特徴量を求める第２の特徴量計算手段と、
前記第１の特徴量計算手段が求めた特徴量と、前記第２の特徴量計算手段が求めた特徴量との比に基づいて、前記予め設定された部位群の夫々の特徴量の変化量を求める変化量計算手段と、
前記予め設定された部位群の夫々の特徴量の変化量を求める変化量計算手段で計算された夫々の特徴量の変化量を顔のサイズ変動や回転変動に基づく正規化値によって正規化する変化量正規化手段と、
前記予め設定された部位群の夫々について前記変化量正規化手段が求めた正規化された変化量に基づいて、前記予め設定された部位群の夫々について得点を計算する得点計算手段と、
前記得点計算手段が前記予め設定された部位群の夫々について計算した得点の分布と、各表情毎に計算した、前記予め設定された部位群の夫々に対する得点の分布と、を比較することで、前記入力手段が入力した画像中の顔の表情を判断する第１の判断手段と
を備えることを特徴とする画像処理装置。
【請求項５】
前記第１の判断手段は更に、前記得点計算手段が前記予め設定された部位群の夫々について計算した得点の総和を求め、当該求めた総和の値が予め設定された値以上であるか否かに応じて、前記入力手段が入力した画像が表情場面であるか否かを判断し、
当該判断結果を更に参照して、前記入力手段が入力した画像中の顔の表情を判断することを特徴とする請求項１に記載の画像処理装置。
【請求項６】
前記第１，２の特徴量計算手段は、前記予め設定された部位群の夫々について画像上のエッジを求め、更に、求めた夫々の前記予め設定された部位のエッジにおける端点を求め、
前記変化量計算手段は、前記予め設定された部位群の夫々について、エッジの長さの変化量、端点間の距離の変化量、２つの端点による線分の傾きの変化量のうち１つ以上を用いて特徴量の変化量を求めることを特徴とする請求項１又は２に記載の画像処理装置。
【請求項７】
前記入力手段が、各フレームの画像を連続して入力する場合に、
連続したｐフレームの夫々の画像中の顔の表情が第１の表情であると前記第１の判断手段が判断してから、当該判断後、連続したｑフレームの夫々の画像中の顔の表情が前記第１の表情とは異なる第２の表情であると前記第１の判断手段が判断するまでの各フレームの画像中の顔の表情を、第１の表情として判断する第２の判断手段を更に備えることを特徴とする請求項１乃至３の何れか１項に記載の画像処理装置。
【請求項８】
顔を含む画像を入力する入力手段と、
１つ以上の表情を示す情報を入力する表情情報入力手段と、
前記画像中の顔において、前記表情に応じた予め設定された部位群の夫々について特徴量を求める処理を行う第１の特徴量計算手段と、
予め設定された表情の顔を含む画像における当該顔の前記予め設定された部位群の夫々について特徴量を求める第２の特徴量計算手段と、
前記第１の特徴量計算手段が求めた特徴量と、前記第２の特徴量計算手段が求めた特徴量との差分に基づいて、前記予め設定された部位群の夫々の特徴量の変化量を求める変化量計算手段と、
前記予め設定された部位群の夫々について前記変化量計算手段が求めた変化量に基づいて、前記予め設定された部位群の夫々について得点を計算する得点計算手段と、
前記得点計算手段が前記予め設定された部位群の夫々について計算した得点の前記表情毎の総和値を求め、最も高い総和値の表情を、前記入力手段が入力した画像中の顔の表情として判断する判断手段と
を備えることを特徴とする画像処理装置。
【請求項９】
顔を含む画像を入力する入力手段と、
１つ以上の表情を示す情報を入力する表情情報入力手段と、
前記画像中の顔において、前記表情に応じた予め設定された部位群の夫々について特徴量を求める処理を行う第１の特徴量計算手段と、
予め設定された表情の顔を含む画像における当該顔の前記予め設定された部位群の夫々について特徴量を求める第２の特徴量計算手段と、
前記第１の特徴量計算手段が求めた特徴量と、前記第２の特徴量計算手段が求めた特徴量との比に基づいて、前記予め設定された部位群の夫々の特徴量の変化量を求める変化量計算手段と、
前記予め設定された部位群の夫々について前記変化量計算手段が求めた変化量に基づいて、前記予め設定された部位群の夫々について得点を計算する得点計算手段と、
前記得点計算手段が前記予め設定された部位群の夫々について計算した得点の前記表情毎の総和値を求め、最も高い総和値の表情を、前記入力手段が入力した画像中の顔の表情として判断する判断手段と
を備えることを特徴とする画像処理装置。
【請求項１０】
顔を含む画像を入力する入力手段と、
１つ以上の表情を示す情報を入力する表情情報入力手段と、
前記画像中の顔において、前記表情に応じた予め設定された部位群の夫々について特徴量を求める処理を行う第１の特徴量計算手段と、
予め設定された表情の顔を含む画像における当該顔の前記予め設定された部位群の夫々について特徴量を求める第２の特徴量計算手段と、
前記第１の特徴量計算手段が求めた特徴量と、前記第２の特徴量計算手段が求めた特徴量との比に基づいて、前記予め設定された部位群の夫々の特徴量の変化量を求めた後、顔のサイズ変動や回転変動に基づく正規化値によって前記予め設定された部位群の夫々の特徴量の変化量を正規化する正規化特徴変化量計算手段と、
前記予め設定された部位群の夫々について前記正規化特徴変化量計算手段が求めた変化量に基づいて、前記予め設定された部位群の夫々について得点を計算する得点計算手段と、
前記得点計算手段が前記予め設定された部位群の夫々について計算した得点の前記表情毎の総和値を求め、最も高い総和値の表情を、前記入力手段が入力した画像中の顔の表情として判断する判断手段と
を備えることを特徴とする画像処理装置。
【請求項１１】
顔を含む画像を入力する入力手段と、
１つ以上の表情を示す情報を入力する表情情報入力手段と、
前記画像中の顔において、前記表情に応じた予め設定された部位群の夫々について特徴量を求める処理を行う第１の特徴量計算手段と、
予め設定された表情の顔を含む画像における当該顔の前記予め設定された部位群の夫々について特徴量を求める第２の特徴量計算手段と、
前記第１の特徴量計算手段が求めた特徴量と、前記第２の特徴量計算手段が求めた特徴量との比に基づいて、前記予め設定された部位群の夫々の特徴量の変化量を求める変化量計算手段と、
前記予め設定された部位群の夫々の特徴量の変化量を求める変化量計算手段で計算された夫々の特徴量の変化量を顔のサイズ変動や回転変動に基づく正規化値によって正規化する特徴量の変化量正規化手段と、
前記予め設定された部位群の夫々について前記変化量正規化手段が求めた正規化された変化量に基づいて、前記予め設定された部位群の夫々について得点を計算する得点計算手段と、
前記得点計算手段が前記予め設定された部位群の夫々について計算した得点の前記表情毎の総和値を求め、最も高い総和値の表情を、前記入力手段が入力した画像中の顔の表情として判断する判断手段と
を備えることを特徴とする画像処理装置。
【請求項１２】
画像処理装置が行う画像処理方法であって、
前記画像処理装置が有する入力手段が、顔を含む画像を入力する入力工程と、
前記画像処理装置が有する第１の特徴量計算手段が、前記画像中の顔における予め設定された部位群の夫々について特徴量を求める第１の特徴量計算工程と、
前記画像処理装置が有する第２の特徴量計算手段が、予め設定された表情の顔を含む画像における当該顔の前記予め設定された部位群の夫々について特徴量を求める第２の特徴量計算工程と、
前記画像処理装置が有する変化量計算手段が、前記第１の特徴量計算工程で求めた特徴量と、前記第２の特徴量計算工程で求めた特徴量との差分に基づいて、前記予め設定された部位群の夫々の特徴量の変化量を求める変化量計算工程と、
前記画像処理装置が有する得点計算手段が、前記予め設定された部位群の夫々について前記変化量計算工程で求めた変化量に基づいて、前記予め設定された部位群の夫々について得点を計算する得点計算工程と、
前記画像処理装置が有する第１の判断手段が、前記得点計算工程で前記予め設定された部位群の夫々について計算した得点の分布と、各表情毎に計算した、前記予め設定された部位群の夫々に対する得点の分布と、を比較することで、前記入力工程で入力した画像中の顔の表情を判断する第１の判断工程と
を備えることを特徴とする画像処理方法。
【請求項１３】
画像処理装置が行う画像処理方法であって、
前記画像処理装置が有する入力手段が、顔を含む画像を入力する入力工程と、
前記画像処理装置が有する第１の特徴量計算手段が、前記画像中の顔における予め設定された部位群の夫々について特徴量を求める第１の特徴量計算工程と、
前記画像処理装置が有する第２の特徴量計算手段が、予め設定された表情の顔を含む画像における当該顔の前記予め設定された部位群の夫々について特徴量を求める第２の特徴量計算工程と、
前記画像処理装置が有する変化量計算手段が、前記第１の特徴量計算工程で求めた特徴量と、前記第２の特徴量計算工程で求めた特徴量との比に基づいて、前記予め設定された部位群の夫々の特徴量の変化量を求める変化量計算工程と、
前記画像処理装置が有する得点計算手段が、前記予め設定された部位群の夫々について前記変化量計算工程で求めた変化量に基づいて、前記予め設定された部位群の夫々について得点を計算する得点計算工程と、
前記画像処理装置が有する第１の判断手段が、前記得点計算工程で前記予め設定された部位群の夫々について計算した得点の分布と、各表情毎に計算した、前記予め設定された部位群の夫々に対する得点の分布と、を比較することで、前記入力工程で入力した画像中の顔の表情を判断する第１の判断工程と
を備えることを特徴とする画像処理方法。
【請求項１４】
画像処理装置が行う画像処理方法であって、
前記画像処理装置が有する入力手段が、顔を含む画像を入力する入力工程と、
前記画像処理装置が有する第１の特徴量計算手段が、前記画像中の顔における予め設定された部位群の夫々について特徴量を求める第１の特徴量計算工程と、
前記画像処理装置が有する第２の特徴量計算手段が、予め設定された表情の顔を含む画像における当該顔の前記予め設定された部位群の夫々について特徴量を求める第２の特徴量計算工程と、
前記画像処理装置が有する正規化特徴変化量計算手段が、前記第１の特徴量計算工程で求めた特徴量と、前記第２の特徴量計算工程で求めた特徴量との比に基づいて、前記予め設定された部位群の夫々の特徴量の変化量を求めた後、顔のサイズ変動や回転変動に基づく正規化値によって前記予め設定された部位群の夫々の特徴量の変化量を正規化する正規化特徴変化量計算工程と、
前記画像処理装置が有する得点計算手段が、前記予め設定された部位群の夫々について前記正規化特徴変化量計算工程で求めた変化量に基づいて、前記予め設定された部位群の夫々について得点を計算する得点計算工程と、
前記画像処理装置が有する第１の判断手段が、前記得点計算工程で前記予め設定された部位群の夫々について計算した得点の分布と、各表情毎に計算した、前記予め設定された部位群の夫々に対する得点の分布と、を比較することで、前記入力工程で入力した画像中の顔の表情を判断する第１の判断工程と
を備えることを特徴とする画像処理方法。
【請求項１５】
画像処理装置が行う画像処理方法であって、
前記画像処理装置が有する入力手段が、顔を含む画像を入力する入力工程と、
前記画像処理装置が有する第１の特徴量計算手段が、前記画像中の顔における予め設定された部位群の夫々について特徴量を求める第１の特徴量計算工程と、
前記画像処理装置が有する第２の特徴量計算手段が、予め設定された表情の顔を含む画像における当該顔の前記予め設定された部位群の夫々について特徴量を求める第２の特徴量計算工程と、
前記画像処理装置が有する変化量計算手段が、前記第１の特徴量計算工程で求めた特徴量と、前記第２の特徴量計算工程で求めた特徴量との比に基づいて、前記予め設定された部位群の夫々の特徴量の変化量を求める変化量計算工程と、
前記画像処理装置が有する変化量正規化手段が、前記予め設定された部位群の夫々の特徴量の変化量を求める変化量計算工程で計算された夫々の特徴量の変化量を顔のサイズ変動や回転変動に基づく正規化値によって正規化する変化量正規化工程と、
前記画像処理装置が有する得点計算手段が、前記予め設定された部位群の夫々について前記変化量正規化工程で求めた正規化された変化量に基づいて、前記予め設定された部位群の夫々について得点を計算する得点計算工程と、
前記画像処理装置が有する第１の判断手段が、前記得点計算工程で前記予め設定された部位群の夫々について計算した得点の分布と、各表情毎に計算した、前記予め設定された部位群の夫々に対する得点の分布と、を比較することで、前記入力工程で入力した画像中の顔の表情を判断する第１の判断工程と
を備えることを特徴とする画像処理方法。
【請求項１６】
画像処理装置が行う画像処理方法であって、
前記画像処理装置が有する入力手段が、顔を含む画像を入力する入力工程と、
前記画像処理装置が有する表情情報入力手段が、１つ以上の表情を示す情報を入力する表情情報入力工程と、
前記画像処理装置が有する第１の特徴量計算手段が、前記画像中の顔において、前記表情に応じた予め設定された部位群の夫々について特徴量を求める処理を行う第１の特徴量計算工程と、
前記画像処理装置が有する第２の特徴量計算手段が、予め設定された表情の顔を含む画像における当該顔の前記予め設定された部位群の夫々について特徴量を求める第２の特徴量計算工程と、
前記画像処理装置が有する変化量計算手段が、前記第１の特徴量計算工程で求めた特徴量と、前記第２の特徴量計算工程で求めた特徴量との差分に基づいて、前記予め設定された部位群の夫々の特徴量の変化量を求める変化量計算工程と、
前記画像処理装置が有する得点計算手段が、前記予め設定された部位群の夫々について前記変化量計算工程で求めた変化量に基づいて、前記予め設定された部位群の夫々について得点を計算する得点計算工程と、
前記画像処理装置が有する判断手段が、前記得点計算工程で前記予め設定された部位群の夫々について計算した得点の前記表情毎の総和値を求め、最も高い総和値の表情を、前記入力工程で入力した画像中の顔の表情として判断する判断工程と
を備えることを特徴とする画像処理方法。
【請求項１７】
画像処理装置が行う画像処理方法であって、
前記画像処理装置が有する入力手段が、顔を含む画像を入力する入力工程と、
前記画像処理装置が有する表情情報入力手段が、１つ以上の表情を示す情報を入力する表情情報入力工程と、
前記画像処理装置が有する第１の特徴量計算手段が、前記画像中の顔において、前記表情に応じた予め設定された部位群の夫々について特徴量を求める処理を行う第１の特徴量計算工程と、
前記画像処理装置が有する第２の特徴量計算手段が、予め設定された表情の顔を含む画像における当該顔の前記予め設定された部位群の夫々について特徴量を求める第２の特徴量計算工程と、
前記画像処理装置が有する変化量計算手段が、前記第１の特徴量計算工程で求めた特徴量と、前記第２の特徴量計算工程で求めた特徴量との比に基づいて、前記予め設定された部位群の夫々の特徴量の変化量を求める変化量計算工程と、
前記画像処理装置が有する得点計算手段が、前記予め設定された部位群の夫々について前記変化量計算工程で求めた変化量に基づいて、前記予め設定された部位群の夫々について得点を計算する得点計算工程と、
前記画像処理装置が有する判断手段が、前記得点計算工程で前記予め設定された部位群の夫々について計算した得点の前記表情毎の総和値を求め、最も高い総和値の表情を、前記入力工程で入力した画像中の顔の表情として判断する判断工程と
を備えることを特徴とする画像処理方法。
【請求項１８】
画像処理装置が行う画像処理方法であって、
前記画像処理装置が有する入力手段が、顔を含む画像を入力する入力工程と、
前記画像処理装置が有する表情情報入力手段が、１つ以上の表情を示す情報を入力する表情情報入力工程と、
前記画像処理装置が有する第１の特徴量計算手段が、前記画像中の顔において、前記表情に応じた予め設定された部位群の夫々について特徴量を求める処理を行う第１の特徴量計算工程と、
前記画像処理装置が有する第２の特徴量計算手段が、予め設定された表情の顔を含む画像における当該顔の前記予め設定された部位群の夫々について特徴量を求める第２の特徴量計算工程と、
前記画像処理装置が有する正規化特徴変化量計算手段が、前記第１の特徴量計算工程で求めた特徴量と、前記第２の特徴量計算工程で求めた特徴量との比に基づいて、前記予め設定された部位群の夫々の特徴量の変化量を求めた後、顔のサイズ変動や回転変動に基づく正規化値によって前記予め設定された部位群の夫々の特徴量の変化量を正規化する正規化特徴変化量計算工程と、
前記画像処理装置が有する得点計算手段が、前記予め設定された部位群の夫々について前記正規化特徴変化量計算工程で求めた変化量に基づいて、前記予め設定された部位群の夫々について得点を計算する得点計算工程と、
前記画像処理装置が有する判断手段が、前記得点計算工程で前記予め設定された部位群の夫々について計算した得点の前記表情毎の総和値を求め、最も高い総和値の表情を、前記入力工程で入力した画像中の顔の表情として判断する判断工程と
を備えることを特徴とする画像処理方法。
【請求項１９】
画像処理装置が行う画像処理方法であって、
前記画像処理装置が有する入力手段が、顔を含む画像を入力する入力工程と、
前記画像処理装置が有する表情情報入力手段が、１つ以上の表情を示す情報を入力する表情情報入力工程と、
前記画像処理装置が有する第１の特徴量計算手段が、前記画像中の顔において、前記表情に応じた予め設定された部位群の夫々について特徴量を求める処理を行う第１の特徴量計算工程と、
前記画像処理装置が有する第２の特徴量計算手段が、予め設定された表情の顔を含む画像における当該顔の前記予め設定された部位群の夫々について特徴量を求める第２の特徴量計算工程と、
前記画像処理装置が有する変化量計算手段が、前記第１の特徴量計算工程で求めた特徴量と、前記第２の特徴量計算工程で求めた特徴量との比に基づいて、前記予め設定された部位群の夫々の特徴量の変化量を求める変化量計算工程と、
前記画像処理装置が有する変化量正規化手段が、前記予め設定された部位群の夫々の特徴量の変化量を求める変化量計算工程で計算された夫々の特徴量の変化量を顔のサイズ変動や回転変動に基づく正規化値によって正規化する特徴量の変化量正規化工程と、
前記画像処理装置が有する得点計算手段が、前記予め設定された部位群の夫々について前記変化量正規化工程で求めた正規化された変化量に基づいて、前記予め設定された部位群の夫々について得点を計算する得点計算工程と、
前記画像処理装置が有する判断手段が、前記得点計算工程で前記予め設定された部位群の夫々について計算した得点の前記表情毎の総和値を求め、最も高い総和値の表情を、前記入力工程で入力した画像中の顔の表情として判断する判断工程と
を備えることを特徴とする画像処理方法。
【請求項２０】
前記正規化特徴変化量計算手段は、
前記第１の特徴量計算手段が求めた特徴量と、前記第２の特徴量計算手段が求めた特徴量との比に基づいて、前記予め設定された部位群の夫々の特徴量の変化量を求めた後、
前記第１の特徴量計算手段から得られる眼領域の重心位置、眼の端点位置、鼻領域の重心位置、左右鼻腔の重心位置、左右それぞれの鼻腔位置の少なくとも１つを用いて得られる両目間水平及び垂直方向距離、眼・鼻間水平及び垂直方向距離と、前記第２の特徴量計算手段から得られる眼領域の重心位置、眼の端点位置、鼻領域の重心位置、左右鼻腔の重心位置、左右鼻腔位置の少なくとも１つを用いて得られる両目間水平方向距離、眼・鼻間水平及び垂直方向距離とを算出し、
前記第１，２の特徴量計算手段により得られる両目間水平及び垂直方向距離比、眼・鼻間水平及び垂直方向距離の比の少なくとも１つを用いることによって、前記予め設定された部位群の夫々の特徴量の変化量の正規化を行うことを特徴とする請求項３又は１０に記載の画像処理装置。
【請求項２１】
前記変化量正規化手段は、
前記第１の特徴量計算手段によって得られる眼領域の重心位置、眼の端点位置、鼻領域の重心位置、左右鼻腔の重心位置、左右それぞれの鼻腔位置の少なくとも１つを用いて両目間水平方向距離、眼・鼻間水平及び垂直方向距離と、前記第２の特徴量計算手段によって得られる眼領域の重心位置、眼の端点位置、鼻領域の重心位置、左右鼻腔の重心位置、左右鼻腔位置の少なくとも１つを用いて得られる両目間水平方向距離、眼・鼻間水平及び垂直方向距離を算出し、
前記第１，２の特徴量計算手段によって得られる両目間水平及び垂直方向距離比、眼・鼻間水平及び垂直方向距離の比の少なくとも１つを用いることによって、前記変化量計算手段によって算出された前記予め設定された部位群の夫々の特徴量の変化量の正規化を行うことを特徴とする請求項４又は１１に記載の画像処理装置。
【請求項２２】
前記正規化特徴変化量計算手段は、前記第１の特徴量計算手段から得られる左眼・右眼端点間距離比と、前記第２の特徴量計算手段から得られる左眼・右眼端点間距離比との比を用いて前記予め設定された部位群の夫々の特徴量の変化量の正規化を行うことを特徴とする請求項３又は１０記載の画像処理装置。
【請求項２３】
前記変化量正規化手段は、前記第１の特徴量計算手段から得られる左眼・右眼端点間距離比と、前記第２の特徴量計算手段から得られる左眼・右眼端点間距離比との比を用いて前記変化量計算手段で算出された前記予め設定された部位群の夫々の特徴量の変化量の正規化を行うことを特徴とする請求項４又は１１に記載の画像処理装置。
【請求項２４】
撮像手段と、
顔を含む画像を入力する入力手段と、
前記画像中の顔における予め設定された部位群の夫々について特徴量を求める第１の特徴量計算手段と、
予め設定された表情の顔を含む画像における当該顔の前記予め設定された部位群の夫々について特徴量を求める第２の特徴量計算手段と、
前記第１の特徴量計算手段が求めた特徴量と、前記第２の特徴量計算手段が求めた特徴量との比に基づいて、前記予め設定された部位群の夫々の特徴量の変化量を求める変化量計算手段と、
前記予め設定された部位群の夫々について前記変化量計算手段が求めた変化量に基づいて、前記予め設定された部位群の夫々について得点を計算する得点計算手段と、
前記得点計算手段が前記予め設定された部位群の夫々について計算した得点の分布と、各表情毎に計算した、前記予め設定された部位群の夫々に対する得点の分布と、を比較することで、前記入力手段が入力した画像中の顔の表情を判断する第１の判断手段と、
前記第１の判断手段で判定された画像を記憶する記憶手段と
を備えることを特徴とする撮像装置。
【請求項２５】
撮像手段と、
顔を含む画像を入力する入力手段と、
前記画像中の顔における予め設定された部位群の夫々について特徴量を求める第１の特徴量計算手段と、
予め設定された表情の顔を含む画像における当該顔の前記予め設定された部位群の夫々について特徴量を求める第２の特徴量計算手段と、
前記第１の特徴量計算手段が求めた特徴量と、前記第２の特徴量計算手段が求めた特徴量との比に基づいて、前記予め設定された部位群の夫々の特徴量の変化量を求めた後、顔のサイズ変動や回転変動に基づく正規化値によって前記予め設定された部位群の夫々の特徴量の変化量を正規化する正規化特徴変化量計算手段と、
前記予め設定された部位群の夫々について前記正規化特徴変化量計算手段が求めた正規化された変化量に基づいて、前記予め設定された部位群の夫々について得点を計算する得点計算手段と、
前記得点計算手段が前記予め設定された部位群の夫々について計算した得点の分布と、各表情毎に計算した、前記予め設定された部位群の夫々に対する得点の分布と、を比較することで、前記入力手段が入力した画像中の顔の表情を判断する第１の判断手段と、
前記第１の判断手段で判定された画像を記憶する記憶手段と
を備えることを特徴とする撮像装置。
【請求項２６】
撮像手段と、
顔を含む画像を入力する入力手段と、
前記画像中の顔における予め設定された部位群の夫々について特徴量を求める第１の特徴量計算手段と、
予め設定された表情の顔を含む画像における当該顔の前記予め設定された部位群の夫々について特徴量を求める第２の特徴量計算手段と、
前記第１の特徴量計算手段が求めた特徴量と、前記第２の特徴量計算手段が求めた特徴量との比に基づいて、前記予め設定された部位群の夫々の特徴量の変化量を求める変化量計算手段と、
前記予め設定された部位群の夫々の特徴量の変化量を求める変化量計算手段で計算された夫々の特徴量の変化量を顔のサイズ変動や回転変動に基づく正規化値によって正規化する特徴量の変化量正規化手段と、
前記予め設定された部位群の夫々について前記変化量正規化手段が求めた正規化された変化量に基づいて、前記予め設定された部位群の夫々について得点を計算する得点計算手段と、
前記得点計算手段が前記予め設定された部位群の夫々について計算した得点の分布と、各表情毎に計算した、前記予め設定された部位群の夫々に対する得点の分布と、を比較することで、前記入力手段が入力した画像中の顔の表情を判断する第１の判断手段と、
前記第１の判断手段で判定された画像を記憶する記憶手段と
を備えることを特徴とする撮像装置。
【請求項２７】
撮像手段と、
顔を含む画像を入力する入力手段と、
１つ以上の表情を示す情報を入力する表情情報入力手段と、
前記画像中の顔において、前記表情に応じた予め設定された部位群の夫々について特徴量を求める処理を行う第１の特徴量計算手段と、
予め設定された表情の顔を含む画像における当該顔の前記予め設定された部位群の夫々について特徴量を求める第２の特徴量計算手段と、
前記第１の特徴量計算手段が求めた特徴量と、前記第２の特徴量計算手段が求めた特徴量との比に基づいて、前記予め設定された部位群の夫々の特徴量の変化量を求める変化量計算手段と、
前記予め設定された部位群の夫々について前記変化量計算手段が求めた変化量に基づいて、前記予め設定された部位群の夫々について得点を計算する得点計算手段と、
前記得点計算手段が前記予め設定された部位群の夫々について計算した得点の前記表情毎の総和値を求め、最も高い総和値の表情を、前記入力手段が入力した画像中の顔の表情として判断する第１の判断手段と、
前記第１の判断手段で判定された画像を記憶する記憶手段と
を備えることを特徴とする撮像装置。
【請求項２８】
撮像手段と、
顔を含む画像を入力する入力手段と、
１つ以上の表情を示す情報を入力する表情情報入力手段と、
前記画像中の顔において、前記表情に応じた予め設定された部位群の夫々について特徴量を求める処理を行う第１の特徴量計算手段と、
予め設定された表情の顔を含む画像における当該顔の前記予め設定された部位群の夫々について特徴量を求める第２の特徴量計算手段と、
前記第１の特徴量計算手段が求めた特徴量と、前記第２の特徴量計算手段が求めた特徴量との比に基づいて、前記予め設定された部位群の夫々の特徴量の変化量を求めた後、顔のサイズ変動や回転変動に基づく正規化値によって前記予め設定された部位群の夫々の特徴量の変化量を正規化する正規化特徴変化量計算手段と、
前記予め設定された部位群の夫々について前記正規化特徴変化量計算手段が求めた変化量に基づいて、前記予め設定された部位群の夫々について得点を計算する得点計算手段と、
前記得点計算手段が前記予め設定された部位群の夫々について計算した得点の前記表情毎の総和値を求め、最も高い総和値の表情を、前記入力手段が入力した画像中の顔の表情として判断する第１の判断手段と、
前記第１の判断手段で判定された画像を記憶する記憶手段と
を備えることを特徴とする撮像装置。
【請求項２９】
撮像手段と、
顔を含む画像を入力する入力手段と、
１つ以上の表情を示す情報を入力する表情情報入力手段と、
前記画像中の顔において、前記表情に応じた予め設定された部位群の夫々について特徴量を求める処理を行う第１の特徴量計算手段と、
予め設定された表情の顔を含む画像における当該顔の前記予め設定された部位群の夫々について特徴量を求める第２の特徴量計算手段と、
前記第１の特徴量計算手段が求めた特徴量と、前記第２の特徴量計算手段が求めた特徴量との比に基づいて、前記予め設定された部位群の夫々の特徴量の変化量を求める変化量計算手段と、
前記予め設定された部位群の夫々の特徴量の変化量を求める変化量計算手段で計算された夫々の特徴量の変化量を顔のサイズ変動や回転変動に基づく正規化値によって正規化する特徴量の変化量正規化手段と、
前記予め設定された部位群の夫々について前記変化量正規化手段が求めた正規化された変化量に基づいて、前記予め設定された部位群の夫々について得点を計算する得点計算手段と、
前記得点計算手段が前記予め設定された部位群の夫々について計算した得点の前記表情毎の総和値を求め、最も高い総和値の表情を、前記入力手段が入力した画像中の顔の表情として判断する第１の判断手段と、
前記第１の判断手段で判定された画像を記憶する記憶手段と
を備えることを特徴とする撮像装置。
【請求項３０】
撮像手段と、
顔を含む画像を入力する入力手段と、
１つ以上の表情を示す情報を入力する表情情報入力手段と、
前記画像中の顔における予め設定された部位群の夫々について特徴量を求める第１の特徴量計算手段と、
予め設定された表情の顔を含む画像における当該顔の前記予め設定された部位群の夫々について特徴量を求める第２の特徴量計算手段と、
前記第１の特徴量計算手段が求めた特徴量と、前記第２の特徴量計算手段が求めた特徴量との比に基づいて、前記予め設定された部位群の夫々の特徴量の変化量を求める変化量計算手段と、
前記予め設定された部位群の夫々について前記変化量計算手段が求めた変化量に基づいて、前記予め設定された部位群の夫々について得点を計算する得点計算手段と、
前記得点計算手段が前記予め設定された部位群の夫々について計算した得点の分布と、前記表情情報入力手段で入力した情報の各表情毎に計算した、前記予め設定された部位群の夫々に対する得点の分布と、を比較することで、前記入力手段が入力した画像中の顔の表情を判断する第１の判断手段と、
前記第１の判断手段で判定された画像を記憶する記憶手段と
を備えることを特徴とする撮像装置。
【請求項３１】
撮像手段と、
顔を含む画像を入力する入力手段と、
１つ以上の表情を示す情報を入力する表情情報入力手段と、
前記画像中の顔における予め設定された部位群の夫々について特徴量を求める第１の特徴量計算手段と、
予め設定された表情の顔を含む画像における当該顔の前記予め設定された部位群の夫々について特徴量を求める第２の特徴量計算手段と、
前記第１の特徴量計算手段が求めた特徴量と、前記第２の特徴量計算手段が求めた特徴量との比に基づいて、前記予め設定された部位群の夫々の特徴量の変化量を求めた後、顔のサイズ変動や回転変動に基づく正規化値によって前記予め設定された部位群の夫々の特徴量の変化量を正規化する正規化特徴変化量計算手段と、
前記予め設定された部位群の夫々について前記正規化特徴変化量計算手段が求めた正規化された変化量に基づいて、前記予め設定された部位群の夫々について得点を計算する得点計算手段と、
前記得点計算手段が前記予め設定された部位群の夫々について計算した得点の分布と、前記表情情報入力手段で入力した情報の各表情毎に計算した、前記予め設定された部位群の夫々に対する得点の分布と、を比較することで、前記入力手段が入力した画像中の顔の表情を判断する第１の判断手段と、
前記第１の判断手段で判定された画像を記憶する記憶手段と
を備えることを特徴とする撮像装置。
【請求項３２】
撮像手段と、
顔を含む画像を入力する入力手段と、
１つ以上の表情を示す情報を入力する表情情報入力手段と、
前記画像中の顔における予め設定された部位群の夫々について特徴量を求める第１の特徴量計算手段と、
予め設定された表情の顔を含む画像における当該顔の前記予め設定された部位群の夫々について特徴量を求める第２の特徴量計算手段と、
前記第１の特徴量計算手段が求めた特徴量と、前記第２の特徴量計算手段が求めた特徴量との比に基づいて、前記予め設定された部位群の夫々の特徴量の変化量を求める変化量計算手段と、
前記予め設定された部位群の夫々の特徴量の変化量を求める変化量計算手段で計算された夫々の特徴量の変化量を顔のサイズ変動や回転変動に基づく正規化値によって正規化する特徴量の変化量正規化手段と、
前記予め設定された部位群の夫々について前記変化量正規化手段が求めた正規化された変化量に基づいて、前記予め設定された部位群の夫々について得点を計算する得点計算手段と、
前記得点計算手段が前記予め設定された部位群の夫々について計算した得点の分布と、前記表情情報入力手段で入力した情報の各表情毎に計算した、前記予め設定された部位群の夫々に対する得点の分布と、を比較することで、前記入力手段が入力した画像中の顔の表情を判断する第１の判断手段と、
前記第１の判断手段で判定された画像を記憶する記憶手段と
を備えることを特徴とする撮像装置。
【請求項３３】
更に、前記第１の判断手段で判定された画像を表示する画像表示手段を備えることを特徴とする請求項２４乃至３２の何れか１項に記載の撮像装置。
【請求項３４】
コンピュータを請求項１乃至１１、２０乃至２３、の何れか１項に記載の画像処理装置が有する各手段として機能させる為のコンピュータプログラム。
【請求項３５】
請求項３４に記載のコンピュータプログラムを格納した、コンピュータ読み取り可能な記憶媒体。
【手続補正２】
【補正対象書類名】明細書
【補正対象項目名】００２４
【補正方法】変更
【補正の内容】
【００２４】
即ち、画像処理装置が行う画像処理方法であって、
前記画像処理装置が有する入力手段が、顔を含む画像を入力する入力工程と、
前記画像処理装置が有する第１の特徴量計算手段が、前記画像中の顔における予め設定された部位群の夫々について特徴量を求める第１の特徴量計算工程と、
前記画像処理装置が有する第２の特徴量計算手段が、予め設定された表情の顔を含む画像における当該顔の前記予め設定された部位群の夫々について特徴量を求める第２の特徴量計算工程と、
前記画像処理装置が有する変化量計算手段が、前記第１の特徴量計算工程で求めた特徴量と、前記第２の特徴量計算工程で求めた特徴量との差分に基づいて、前記予め設定された部位群の夫々の特徴量の変化量を求める変化量計算工程と、
前記画像処理装置が有する得点計算手段が、前記予め設定された部位群の夫々について前記変化量計算工程で求めた変化量に基づいて、前記予め設定された部位群の夫々について得点を計算する得点計算工程と、
前記画像処理装置が有する第１の判断手段が、前記得点計算工程で前記予め設定された部位群の夫々について計算した得点の分布と、各表情毎に計算した、前記予め設定された部位群の夫々に対する得点の分布と、を比較することで、前記入力工程で入力した画像中の顔の表情を判断する第１の判断工程と
を備えることを特徴とする。
【手続補正３】
【補正対象書類名】明細書
【補正対象項目名】００２６
【補正方法】変更
【補正の内容】
【００２６】
即ち、画像処理装置が行う画像処理方法であって、
前記画像処理装置が有する入力手段が、顔を含む画像を入力する入力工程と、
前記画像処理装置が有する第１の特徴量計算手段が、前記画像中の顔における予め設定された部位群の夫々について特徴量を求める第１の特徴量計算工程と、
前記画像処理装置が有する第２の特徴量計算手段が、予め設定された表情の顔を含む画像における当該顔の前記予め設定された部位群の夫々について特徴量を求める第２の特徴量計算工程と、
前記画像処理装置が有する変化量計算手段が、前記第１の特徴量計算工程で求めた特徴量と、前記第２の特徴量計算工程で求めた特徴量との比に基づいて、前記予め設定された部位群の夫々の特徴量の変化量を求める変化量計算工程と、
前記画像処理装置が有する得点計算手段が、前記予め設定された部位群の夫々について前記変化量計算工程で求めた変化量に基づいて、前記予め設定された部位群の夫々について得点を計算する得点計算工程と、
前記画像処理装置が有する第１の判断手段が、前記得点計算工程で前記予め設定された部位群の夫々について計算した得点の分布と、各表情毎に計算した、前記予め設定された部位群の夫々に対する得点の分布と、を比較することで、前記入力工程で入力した画像中の顔の表情を判断する第１の判断工程と
を備えることを特徴とする。
【手続補正４】
【補正対象書類名】明細書
【補正対象項目名】００２８
【補正方法】変更
【補正の内容】
【００２８】
即ち、画像処理装置が行う画像処理方法であって、
前記画像処理装置が有する入力手段が、顔を含む画像を入力する入力工程と、
前記画像処理装置が有する第１の特徴量計算手段が、前記画像中の顔における予め設定された部位群の夫々について特徴量を求める第１の特徴量計算工程と、
前記画像処理装置が有する第２の特徴量計算手段が、予め設定された表情の顔を含む画像における当該顔の前記予め設定された部位群の夫々について特徴量を求める第２の特徴量計算工程と、
前記画像処理装置が有する正規化特徴変化量計算手段が、前記第１の特徴量計算工程で求めた特徴量と、前記第２の特徴量計算工程で求めた特徴量との比に基づいて、前記予め設定された部位群の夫々の特徴量の変化量を求めた後、顔のサイズ変動や回転変動に基づく正規化値によって前記予め設定された部位群の夫々の特徴量の変化量を正規化する正規化特徴変化量計算工程と、
前記画像処理装置が有する得点計算手段が、前記予め設定された部位群の夫々について前記正規化特徴変化量計算工程で求めた変化量に基づいて、前記予め設定された部位群の夫々について得点を計算する得点計算工程と、
前記画像処理装置が有する第１の判断手段が、前記得点計算工程で前記予め設定された部位群の夫々について計算した得点の分布と、各表情毎に計算した、前記予め設定された部位群の夫々に対する得点の分布と、を比較することで、前記入力工程で入力した画像中の顔の表情を判断する第１の判断工程と
を備えることを特徴とする。
【手続補正５】
【補正対象書類名】明細書
【補正対象項目名】００３０
【補正方法】変更
【補正の内容】
【００３０】
即ち、画像処理装置が行う画像処理方法であって、
前記画像処理装置が有する入力手段が、顔を含む画像を入力する入力工程と、
前記画像処理装置が有する第１の特徴量計算手段が、前記画像中の顔における予め設定された部位群の夫々について特徴量を求める第１の特徴量計算工程と、
前記画像処理装置が有する第２の特徴量計算手段が、予め設定された表情の顔を含む画像における当該顔の前記予め設定された部位群の夫々について特徴量を求める第２の特徴量計算工程と、
前記画像処理装置が有する変化量計算手段が、前記第１の特徴量計算工程で求めた特徴量と、前記第２の特徴量計算工程で求めた特徴量との比に基づいて、前記予め設定された部位群の夫々の特徴量の変化量を求める変化量計算工程と、
前記画像処理装置が有する変化量正規化手段が、前記予め設定された部位群の夫々の特徴量の変化量を求める変化量計算工程で計算された夫々の特徴量の変化量を顔のサイズ変動や回転変動に基づく正規化値によって正規化する変化量正規化工程と、
前記画像処理装置が有する得点計算手段が、前記予め設定された部位群の夫々について前記変化量正規化工程で求めた正規化された変化量に基づいて、前記予め設定された部位群の夫々について得点を計算する得点計算工程と、
前記画像処理装置が有する第１の判断手段が、前記得点計算工程で前記予め設定された部位群の夫々について計算した得点の分布と、各表情毎に計算した、前記予め設定された部位群の夫々に対する得点の分布と、を比較することで、前記入力工程で入力した画像中の顔の表情を判断する第１の判断工程と
を備えることを特徴とする。
【手続補正６】
【補正対象書類名】明細書
【補正対象項目名】００３２
【補正方法】変更
【補正の内容】
【００３２】
即ち、画像処理装置が行う画像処理方法であって、
前記画像処理装置が有する入力手段が、顔を含む画像を入力する入力工程と、
前記画像処理装置が有する表情情報入力手段が、１つ以上の表情を示す情報を入力する表情情報入力工程と、
前記画像処理装置が有する第１の特徴量計算手段が、前記画像中の顔において、前記表情に応じた予め設定された部位群の夫々について特徴量を求める処理を行う第１の特徴量計算工程と、
前記画像処理装置が有する第２の特徴量計算手段が、予め設定された表情の顔を含む画像における当該顔の前記予め設定された部位群の夫々について特徴量を求める第２の特徴量計算工程と、
前記画像処理装置が有する変化量計算手段が、前記第１の特徴量計算工程で求めた特徴量と、前記第２の特徴量計算工程で求めた特徴量との差分に基づいて、前記予め設定された部位群の夫々の特徴量の変化量を求める変化量計算工程と、
前記画像処理装置が有する得点計算手段が、前記予め設定された部位群の夫々について前記変化量計算工程で求めた変化量に基づいて、前記予め設定された部位群の夫々について得点を計算する得点計算工程と、
前記画像処理装置が有する判断手段が、前記得点計算工程で前記予め設定された部位群の夫々について計算した得点の前記表情毎の総和値を求め、最も高い総和値の表情を、前記入力工程で入力した画像中の顔の表情として判断する判断工程と
を備えることを特徴とする。
【手続補正７】
【補正対象書類名】明細書
【補正対象項目名】００３４
【補正方法】変更
【補正の内容】
【００３４】
即ち、画像処理装置が行う画像処理方法であって、
前記画像処理装置が有する入力手段が、顔を含む画像を入力する入力工程と、
前記画像処理装置が有する表情情報入力手段が、１つ以上の表情を示す情報を入力する表情情報入力工程と、
前記画像処理装置が有する第１の特徴量計算手段が、前記画像中の顔において、前記表情に応じた予め設定された部位群の夫々について特徴量を求める処理を行う第１の特徴量計算工程と、
前記画像処理装置が有する第２の特徴量計算手段が、予め設定された表情の顔を含む画像における当該顔の前記予め設定された部位群の夫々について特徴量を求める第２の特徴量計算工程と、
前記画像処理装置が有する変化量計算手段が、前記第１の特徴量計算工程で求めた特徴量と、前記第２の特徴量計算工程で求めた特徴量との比に基づいて、前記予め設定された部位群の夫々の特徴量の変化量を求める変化量計算工程と、
前記画像処理装置が有する得点計算手段が、前記予め設定された部位群の夫々について前記変化量計算工程で求めた変化量に基づいて、前記予め設定された部位群の夫々について得点を計算する得点計算工程と、
前記画像処理装置が有する判断手段が、前記得点計算工程で前記予め設定された部位群の夫々について計算した得点の前記表情毎の総和値を求め、最も高い総和値の表情を、前記入力工程で入力した画像中の顔の表情として判断する判断工程と
を備えることを特徴とする。
【手続補正８】
【補正対象書類名】明細書
【補正対象項目名】００３６
【補正方法】変更
【補正の内容】
【００３６】
即ち、画像処理装置が行う画像処理方法であって、
前記画像処理装置が有する入力手段が、顔を含む画像を入力する入力工程と、
前記画像処理装置が有する表情情報入力手段が、１つ以上の表情を示す情報を入力する表情情報入力工程と、
前記画像処理装置が有する第１の特徴量計算手段が、前記画像中の顔において、前記表情に応じた予め設定された部位群の夫々について特徴量を求める処理を行う第１の特徴量計算工程と、
前記画像処理装置が有する第２の特徴量計算手段が、予め設定された表情の顔を含む画像における当該顔の前記予め設定された部位群の夫々について特徴量を求める第２の特徴量計算工程と、
前記画像処理装置が有する正規化特徴変化量計算手段が、前記第１の特徴量計算工程で求めた特徴量と、前記第２の特徴量計算工程で求めた特徴量との比に基づいて、前記予め設定された部位群の夫々の特徴量の変化量を求めた後、顔のサイズ変動や回転変動に基づく正規化値によって前記予め設定された部位群の夫々の特徴量の変化量を正規化する正規化特徴変化量計算工程と、
前記画像処理装置が有する得点計算手段が、前記予め設定された部位群の夫々について前記正規化特徴変化量計算工程で求めた変化量に基づいて、前記予め設定された部位群の夫々について得点を計算する得点計算工程と、
前記画像処理装置が有する判断手段が、前記得点計算工程で前記予め設定された部位群の夫々について計算した得点の前記表情毎の総和値を求め、最も高い総和値の表情を、前記入力工程で入力した画像中の顔の表情として判断する判断工程と
を備えることを特徴とする。
【手続補正９】
【補正対象書類名】明細書
【補正対象項目名】００３８
【補正方法】変更
【補正の内容】
【００３８】
即ち、画像処理装置が行う画像処理方法であって、
前記画像処理装置が有する入力手段が、顔を含む画像を入力する入力工程と、
前記画像処理装置が有する表情情報入力手段が、１つ以上の表情を示す情報を入力する表情情報入力工程と、
前記画像処理装置が有する第１の特徴量計算手段が、前記画像中の顔において、前記表情に応じた予め設定された部位群の夫々について特徴量を求める処理を行う第１の特徴量計算工程と、
前記画像処理装置が有する第２の特徴量計算手段が、予め設定された表情の顔を含む画像における当該顔の前記予め設定された部位群の夫々について特徴量を求める第２の特徴量計算工程と、
前記画像処理装置が有する変化量計算手段が、前記第１の特徴量計算工程で求めた特徴量と、前記第２の特徴量計算工程で求めた特徴量との比に基づいて、前記予め設定された部位群の夫々の特徴量の変化量を求める変化量計算工程と、
前記画像処理装置が有する変化量正規化手段が、前記予め設定された部位群の夫々の特徴量の変化量を求める変化量計算工程で計算された夫々の特徴量の変化量を顔のサイズ変動や回転変動に基づく正規化値によって正規化する特徴量の変化量正規化工程と、
前記画像処理装置が有する得点計算手段が、前記予め設定された部位群の夫々について前記変化量正規化工程で求めた正規化された変化量に基づいて、前記予め設定された部位群の夫々について得点を計算する得点計算工程と、
前記画像処理装置が有する判断手段が、前記得点計算工程で前記予め設定された部位群の夫々について計算した得点の前記表情毎の総和値を求め、最も高い総和値の表情を、前記入力工程で入力した画像中の顔の表情として判断する判断工程と
を備えることを特徴とする。